(57)【要約】【課題】簡単な構成で手すり材の端部どうしを連結できるとともに、中間部分の手すり材だけを容易に取り外すことの可能な手すりの連結構造を提供する。【解決手段】第１手すり材１ａの端面に、中央に雄ねじ部２１を凸設しこの凸設面周縁をリング当接部２２としたリング受け部材２を第２手すり材１ｂに対向して固定し、該第２手すり材１ｂの端部に、上記雄ねじ部２１と螺合する雌ねじ４１を刻設し、かつ、内鍔部４２を備えた連結リング体４を回動自在に遊嵌するとともに、上記第２手すり材１ｂの端面に、その外径よりもやや大きい外径を有する抜け止め部材３を固定し、上記連結リング体４を抜け止め状態にする。【選択図】図１
2004218358.tif 000002
【特許請求の範囲】
【請求項１】
手すり材の端部どうしを連結する構造であって、第１手すり材の端面に、中央に雄ねじ部を凸設しこの凸設面周縁をリング当接部としたリング受け部材を第２手すり材に対向して固定し、該第２手すり材の端部に、上記雄ねじ部と螺合する雌ねじを刻設し、かつ、内鍔部を備えた連結リング体を回動自在に遊嵌するとともに、上記第２手すり材の端面に、その外径よりもやや大きい外径を有する抜け止め部材を固定し、上記連結リング体を抜け止め状態にしたことを特徴とする手すりの連結構造。
【請求項２】
上記第１手すり材へのリング受け部材の固定手段および上記第２手すり材への抜け止め部材の固定手段として皿ビスを用いる請求項１に記載の手すりの連結構造。
【請求項３】
上記リング受け部材と連結リング体との当接部以外の外周縁に面取り部が形成された請求項１に記載の手すりの連結構造。
【請求項４】
上記リング受け部材をユニバーサルジョイントを介して第１手すり材の端面に取り付けた請求項１に記載の手すりの連結構造。
【請求項５】
上記手すり材が木質材である請求項１に記載の手すりの連結構造。
【発明の詳細な説明】
【０００１】
【発明の属する技術分野】
本発明は、手すりの連結構造に関する。さらに詳しくは、トイレや廊下等の壁面、あるいは階段に設置される手すりの連結構造に関する。
【０００２】
【従来の技術】
従来、廊下や階段等に設置される手すりの連結構造に関して種々の技術が提案されている。（例えば、特許文献１、２、３、４、５参照。）。
【０００３】
【特許文献１】
特開平８−２７０１６８号公報（第１−４頁、第１図、第２図）
【特許文献２】
登録実用新案公報第３０５１３０４号（第１−２頁、第１図、第２図）
【特許文献３】
特開平９−１３７５７２号公報（第１−４頁、第１図、第２図）
【特許文献４】
特開平１１−３６５４６号公報（第１−４頁、第１図、第３図、第４図）
【特許文献５】
特開平１１−１１７４８８号公報（第１−４頁、第１図、第２図、第３図）
【０００４】
上記特許文献を含む公知例の中の一例として、本願の図４（ａ）、（ｂ）に示すように、連結部材７を介して第１手すり材１ａと第２手すり材１ｂとの端部どうしを連結する構造が知られている。この公知の手すりの連結構造は、図４（ａ）、（ｂ）によく示されているように、筒部７１の内部に仕切り板７２を一体に設けて連結部材７を形成し、この連結部材７の一方の開口部より第１手すり材１ａの端部を嵌挿して連結部材７の仕切り板７２にビス８で固定し、他方の開口部より手すり材１ｂの端部を嵌挿し、連結部材７にビス８で固定するものである。
【０００５】
【発明が解決しようとする課題】
ところで、近年、高齢者が容易に家の中を移動できるよう、また、介護が楽になるよう、新築時にトイレや洗面所等の比較的狭い場所、あるいは階段等に手すりを設置するケースや、リフォームして後付けするケースが増えている。しかしながら、上記公知の連結構造を用いて手すりを取り付ける場合、手すりの長手方向へ、一方の手すり材を一旦後退移動させ、その後に連結部材に嵌挿しなければならず、狭い場所での作業性が悪いという問題がある。また、手すり材の一部のみを交換するときでも、手すりを構成する手すり材、ブラケット等、全部を取り外し、その後に再度手すり材を連結して元の状態に戻さなければならず、非常に面倒という問題もある。本発明はこのような問題を解決して、簡単な構成で手すり材の端部どうしを連結できるとともに、中間部分の手すり材だけを容易に取り外すことの可能な手すりの連結構造を提供することその課題とする。
【０００６】
本発明は上記課題を解決するためにつぎのような技術的手段を講じている。すなわち、本発明によれば、手すり材の端部どうしを連結する構造であって、第１手すり材の端面に、中央に雄ねじ部を凸設しこの凸設面周縁をリング当接部としたリング受け部材を第２手すり材に対向して固定し、該第２手すり材の端部に、上記雄ねじ部と螺合する雌ねじを刻設し、かつ、内鍔部を備えた連結リング体を回動自在に遊嵌するとともに、上記第２手すり材の端面に、その外径よりもやや大きい外径を有する抜け止め部材を固定し、上記連結リング体を抜け止め状態にしたことを特徴とする手すりの連結構造が提供される。
【０００７】
このようにすることによって、手すり材を一旦、手すりの長手方向へ移動させることなく単に垂直方向に納め、連結リング体の雌ねじとリング受け部材の雄ねじ部とを螺合し、締め付けるだけで、複数の手すり材を作業性よく連結することができる。また、中間手すり材の取り外しも上記螺合を解除するだけで簡単に行うことができる。
【０００８】
上記第１手すり材へのリング受け部材の固定手段および上記第２手すり材への抜け止め部材の固定手段として皿ビスを用いることが好ましい。このようにすることによって、上記リング受け部材と抜け止め部材との当接面が面一となり、固定手段の頭部どうしが干渉することなく、しっかりと連結することができる。
【０００９】
上記リング受け部材と連結リング体との当接部以外の外周縁に面取り部が形成されることが好ましい。このようにすることにより、上記連結リング体を回動操作する際等に、手先が引っかかり怪我をすることを防げる。
【００１０】
上記リング受け部材をユニバーサルジョイントを介して第１手すり材の端面に取り付けることが可能とされる。このようにすることによって、階段の踊り場等、手すりが屈曲している場合においても、本発明の手すりの連結構造を好ましく使用できる。
【００１１】
上記手すり材を木質材とすることが好ましい。このようにすることによって、自然観のある外観となり、また、手触りも柔らかく、しっかりと把持できるため、とくに、高齢者に対して優しい手すりを提供することができる。
【００１２】
【発明の実施の形態】
以下、本発明の好ましい実施の形態について、図面を参照して、さらに詳細に説明する。図１は、手すり材として木質材を用いた、実施例１にかかる手すりの連結構造を示す分解斜視図である。図１において、リング受け部材２は、その中央部に雄ねじ部２１が凸設され、雄ねじ部２１の凸設面の周縁をリング当接部２２とし、第２手すり材１ｂと対向するように、第１手すり材１ａの端面に皿ビス５によって固定される。一方、上記雄ねじ部２１と螺合する雌ねじ４１を刻設し、内鍔部４２を備えた連結リング体４が第２手すり材１ｂの端部に回動自在に遊嵌され、この連結リング体４は、第２手すり材１ｂの端面に固定された、その外径よりもやや大きい外径を有する抜け止め部材３によって抜け止めされる。
【００１３】
図２（ａ）は、工場あるいは施工現場で、手すり材１ａおよび１ｂに実施例１にかかる手すりの連結構造を取り付け、連結していない状態を示す側断面図である。図２（ｂ）は、連結リング体４を回動し、その内部に刻設された雌ねじ４１とリング受け部材２に凸設された雄ねじ２１とを螺合して締め付け、第１手すり材１ａと第２手すり材１ｂとをしっかりと連結した状態を示す側断面図である。
このとき、リング受け部材２と連結リング体４との当接部以外の外周縁は面取りされているため、連結リング体４を回動操作する間等に、手先を引っかけて怪我をすることを防止できる。また、皿ビス５を用いているため、ビスの頭部どうしが干渉することなく、リング受け部材２と抜け止め部材３との当接面が面一となる。
【００１４】
本発明の手すりの連結構造は、階段の踊り場等、手すりが屈曲している場合においても使用できる。実施例２は、階段の手すりに上記連結構造を適用した例であり、図３からよくわかるように、連結リング体４は、第２手すり材１ｂに抜け止め状態で回動自在に遊嵌され、リング受け部材２は、ユニバーサルジョイント６を介して第１手すり材１ａの端面に取り付けられている。このとき、連結リング体４を回動すれば、実施例１と同様に、連結リング体４の内部に刻設された雌ねじ４１とリング受け部材２に凸設された雄ねじ２１とが螺合して、第１手すり材１ａと第２手すり材１ｂとがユニバーサルジョイント６を介して屈曲自在にしっかりと連結される。その結果、階段の勾配に合わせて、任意の角度で手すり材を連結することができる。
【００１５】
【発明の効果】
以上述べたように、請求項１に記載の発明は、手すり材の端部どうしを連結する構造であって、第１手すり材１ａの端面に、中央に雄ねじ部２１を凸設しこの凸設面周縁をリング当接部２２としたリング受け部材２を第２手すり材１ｂに対向して固定し、該第２手すり材１ｂの端部に、上記雄ねじ部２１と螺合する雌ねじ４１を刻設し、かつ、内鍔部４２を備えた連結リング体４を回動自在に遊嵌するとともに、上記第２手すり材１ｂの端面に、その外径よりもやや大きい外径を有する抜け止め部材３を固定し、上記連結リング体４を抜け止め状態にしたことを特徴とする手すりの連結構造である。
【００１６】
このようにすることによって、手すり材を一旦、手すりの長手方向へ移動させることなく単に垂直方向に納め、連結リング体４の雌ねじ４１とリング受け部材２の雄ねじ部２１とを螺合し、締め付けるだけで、複数の手すり材を作業性よく連結することができる。また、中間手すり材の取り外しも上記螺合を解除するだけで簡単に行うことができる。
【００１７】
請求項２に記載の発明は、上記第１手すり材１ａへのリング受け部材２の固定手段および上記第２手すり材１ｂへの抜け止め部材３の固定手段として皿ビス５が用いられる。このようにすることによって、請求項１に記載の発明の効果に加えて、上記リング受け部材２と抜け止め部材３との当接面が面一となり、固定手段の頭部どうしが干渉することなく、しっかりと連結することができる。
【００１８】
請求項３に記載の発明は、上記リング受け部材２と連結リング体４との当接部以外の外周縁に面取り部が形成される。このようにすることにより、請求項１に記載の発明の効果に加えて、上記連結リング体４を回動操作する際等に、手先が引っかかり怪我をすることを防げる。
【００１９】
請求項４に記載の発明は、上記リング受け部材２をユニバーサルジョイント６を介して第１手すり材の端面に取り付けることが可能とされる。このようにすることによって、請求項１に記載の発明の効果に加えて、階段の踊り場等、手すりが屈曲している場合においても、本発明の手すりの連結構造を好ましく使用できる。
【００２０】
請求項５に記載の発明は、上記手すり材が木質材とされる。このようにすることによって、請求項１に記載の発明の効果に加えて、手すりが自然観のある外観となり、また、手触りも柔らかく、しっかりと把持できるため、とくに、高齢者に対して優しい手すりとすることができる。
【図面の簡単な説明】
【図１】実施例１にかかる手すりの連結構造を示す分解斜視図である。
【図２】（ａ）上記連結構造が連結していない状態を示す側断面図である。
（ｂ）上記連結構造が連結した状態を示す側断面図である。
【図３】実施例２にかかる手すりの連結構造を示す部分側断面図である。
【図４】（ａ）公知の手すりの連結構造が連結していない状態を示す分解斜視図である。（ｂ）公知の手すりの連結構造が連結した状態を示す斜視図である。
【符号の説明】
１ａ        第１手すり材
１ｂ        第２手すり材
２          リング受け部材
２１        雄ねじ部
２２        リング当接部
３          抜け止め部材
４          連結リング体
４１        雌ねじ
４２        内鍔部
５          皿ビス
６          ユニバーサルジョイント
７          公知の手すりの連結部材
７１        上記の筒部
７２        上記の仕切り板
８          ビス
【図１】
2004218358.tif 000003
【図２】
2004218358.tif 000004
【図３】
2004218358.tif 000005
【図４】
2004218358.tif 000006